【事件の表示】
　特許第３０９８９７６号「蓋付きコンテナ」の請求項１に係る特許に対する特許異議の申立てについて、次のとおり決定する。
【結　論】
　訂正を認める。
　特許第３０９８９７６号の請求項１に係る特許を取り消す。
【理　由】
１．手続の経緯
　
　特許第３０９８９７６号の請求項１に係る発明は、平成９年５月２２日に出願され（特願平９−１３２５８１号）、平成１２年８月１１日にその発明について特許権の設定登録がなされ、その後、その特許について、異議申立人　三甲株式会社　及び　金子しの　より特許異議の申立てがなされ、取消の理由が通知され、その指定期間内である平成１３年１１月５日に、特許異議の意見書とともに訂正請求がなされたものである。
　
２．訂正の適否についての判断
　
（１）訂正の内容
　特許権者が求めている訂正の内容は、以下のａ、ｂ、ｃ、ｄのとおりである。
　
ア．訂正事項ａ
　特許明細書の特許請求の範囲の【請求項１】
「上面を開口せる容器状のコンテナ本体
の
　
コンテナ本体に蓋を開閉自在に取付ける構造が、軸受部が一対の軸受半体をヒンジ部を介して一体に連結して構成され且つ
　ヒンジ部を介した一対の軸受半体で合成樹脂製の回転軸を囲むように重ね合わせるとともに
　
一対の軸受半体の一方に設けた係止突起を他方に設けた係止孔に係止する構造であり、
　蓋の上面に係止部を有する突部を設け、蓋を開いて蓋の上面をコンテナ本体の外面に沿わせた状態で、蓋の係止部を垂れ下がった蓋の上面と対向するコンテナ本体の外面部分において係止し、蓋の上面に設けた係止部を有する突部が、垂れ下がった蓋の上面と対向するコンテナ本体の外面部分に形成した二重壁の外側を構成する外周壁の下端よりも内側に位置して成ることを特徴とする蓋付きコンテナ。」を
「上面を開口せる容器状のコンテナ本体と、（ａ−１）
コンテナ本体の上面開口を開閉するために
　（ａ−２）
コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端緑から一体に延出し、
　（ａ−３）
一対の軸受半体の一方に設けた主係止突起及び補助係止突起からなる係止突起を他方に設けた主係止孔及び補助係止孔からなる係止孔に係止し、
　蓋の上面に係止部を有する突部を設け、蓋を開いて蓋の上面をコンテナ本体の外面に沿わせた状態で、蓋の係止部を垂れ下がった蓋の上面と対向するコンテナ本体の外面部分において係止し、蓋の上面に設けた係止部を有する突部が、垂れ下がった蓋の上面と対向するコンテナ本体の外面部分に形成した二重壁の外側を構成する外周壁の下端よりも内側に位置して成ることを特徴とする蓋付きコンテナ。」
　と訂正するもの。
　なお、上記下線は、訂正事項を明りょうにするために当審において付加したものである。
　
イ．訂正事項ｂ
　上記ａに対応して、明細書【０００５】２〜９行目の
「上面を開口せる容器状のコンテナ本体１の上縁に回転軸への軸受部６の取付けにより蓋２を回動自在に装着した合成樹脂製の蓋２付きコンテナにおいて、コンテナ本体１に蓋２を開閉自在に取付ける構造が、軸受部６が一対の軸受半体６ａ，６ｂをヒンジ部６ｃを介して一体に連結して構成され且つヒンジ部６ｃを介した一対の軸受半体６ａ，６ｂで合成樹脂製の回転軸５を囲むように重ね合わせるとともに一対の軸受半体６ａ，６ｂの一方に設けた係止突起７を他方に設けた係止孔８に係止する構造であり」を
「上面を開口せる容器状のコンテナ本体１と、コンテナ本体１の上面開口を開閉するためにコンテナ本体１の上緑に回転軸への軸受部６の取付けにより蓋２を回動自在に装着した合成樹脂製の蓋２付きコンテナにおいて、コンテナ本体１の上緑のフランジ３に切り欠き４を設けると共にこの切り欠き４にコンテナ本体１と一体になるように回転軸５を架設し、一対の軸受半体６ａ，６ｂをヒンジ部６ｃを介して一体に連結した軸受部６を蓋２の端縁から一体に延出し、ヒンジ部６ｃを介した一対の軸受半体６ａ，６ｂで合成樹脂製の回転軸５を囲むように重ね合わせるとともに一対の軸受半体６ａ，６ｂの一方に設けた主係止突起７ａ及び補助係止突起７ｂからなる係止突起７を他方に設けた主係止孔８ａ及び補助係止孔８ｂからなる係止孔８に係止し」
と訂正するもの。
　
ウ．訂正事項ｃ
　上記ａに対応して、明細書【０００５】１６〜１７行目の
「係止突起７と係止孔８とを係止して」を
「主係止突起７ａと補助係止突起７ｂとをそれぞれ主係止孔８ａと補助係止孔８ｂとに係止して」
と訂正するもの。
　
エ．訂正事項ｄ
　上記ａに対応して、明細書【００１５】２〜８行目の
「コンテナ本体に蓋を開閉自在に取付ける構造が、軸受部が一対の軸受半体をヒンジ部を介して一体に連結して構成され且つヒンジ部を介した一対の軸受半体で合成樹脂製の回転軸を囲むように重ね合わせるとともに一対の軸受半体の一方に設けた係止突起を他方に設けた係止孔に係止する構造であるので、一対の軸受半体を展開した状態で軸受部を回転軸をくぐるように挿通し、ヒンジ部で折り曲げて回転軸を挟むように一対の軸受半体を重ね合わせると共に係止突起と係止孔とを係止して」を
「コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端縁から一体に延出し、ヒンジ部を介した一対の軸受半体で合成樹脂製の回転軸を囲むように重ね合わせるとともに一対の軸受半体の一方に設けた主係止突起及び補助係止突起からなる係止突起を他方に設けた主係止孔及び補助係止孔からなる係止孔に係止し、一対の軸受半体を展開した状態で軸受部を回転軸をくぐるように挿通し、ヒンジ部で折り曲げて回転軸を挟むように一対の軸受半体を重ね合わせると共に主係止突起と補助係止突起とをそれぞれ主係止孔と補助係止孔とに係止して」
と訂正するもの。
　
（２）訂正の目的の適否、新規事項の有無及び特許請求の範囲の拡張・変更の存否
　
ア．訂正事項ａについて
　
　訂正事項ａ−１の「コンテナ本体の上面開口を開閉するために」は、
「蓋」の機能を限定したものであり、特許請求の範囲の減縮を目的とした明細書の訂正に該当する。
　そして、明細書【０００７】３行目の「コンテナ本体１の上面の開口を開閉するために」との記載に基づく訂正であり、願書に添付した明細書又は図面に記載した事項の範囲内である。
　また、実質上特許請求の範囲を拡張又は変更するものではない。
　
　訂正事項ａ−２の「コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端緑から一体に延出し」は、
　「回転軸」及び「軸受半体」の取り付け構造を限定したものであり、特許請求の範囲の減縮を目的とした明細書の訂正に該当する。
　そして、明細書【０００８】２〜４行目の「側壁１ｂの上端フランジ３には長手方向に適当な間隔を隔てて複数個の（本例の場合４個）切り欠き４を設けてあり、この切り欠きには夫々架設するように回転軸５を一体に設けてある。」及び、明細書【０００９】７〜９行目の「軸受半体６ａは蓋２に直接一体に繋がっており、軸受半体６ａにヒンジ部６ｃを介して軸受半体６ｂを設けてある。」との記載に基づく訂正であり、願書に添付した明細書又は図面に記載した事項の範囲内である。
　また、実質上特許請求の範囲を拡張又は変更するものではない。
　
　訂正事項ａ−３の「一対の軸受半体の一方に設けた主係止突起及び補助係止突起からなる係止突起を他方に設けた主係止孔及び補助係止孔からなる係止孔に係止し」は、「係止突起」及び「係止孔」の構成をより具体的に限定したものであり、特許請求の範囲の減縮を目的とした明細書の訂正に該当する。
　そして、明細書【００１１】１６〜１８行目の「また上記のように一対の軸受半体６ａ，６ｂを重ねたとき、主係止突起７ａと補助係止突起７ｂが主係止孔８ａと補助係止孔８ｂに係止する」との記載に基づく訂正であり、願書に添付した明細書又は図面に記載した事項の範囲内である。
　また、実質上特許請求の範囲を拡張又は変更するものではない。
　
イ．訂正事項ｂについて
　
　訂正事項ｂは訂正事項ａと整合を図るものであるから、明りょうでない記載の釈明を目的とした明細書の訂正に該当する。
　
　そして、訂正事項ｂは、願書に添付した明細書又は図面に記載した事項の範囲内であり、また、実質上特許請求の範囲を拡張又は変更するものではない。
　
ウ．訂正事項ｃについて
　
　訂正事項ｃは訂正事項ａと整合を図るものであるから、明りょうでない記載の釈明を目的とした明細書の訂正に該当する。
　
　そして、訂正事項ｃは、願書に添付した明細書又は図面に記載した事項の範囲内であり、また、実質上特許請求の範囲を拡張又は変更するものではない。
　
エ．訂正事項ｄについて
　
　訂正事項ｄは訂正事項ａと整合を図るものであるから、明りょうでない記載の釈明を目的とした明細書の訂正に該当する。
　
　そして、訂正事項ｄは、願書に添付した明細書又は図面に記載した事項の範囲内であり、また、実質上特許請求の範囲を拡張又は変更するものではない。
　
（３）むすび
　
　以上のとおりであるから、上記訂正（訂正事項ａ〜ｄ）は、特許法第１２０条の４第２項及び同条第３項で準用する特許法第１２６条第２項及び第３項の規定に適合するので、当該訂正を認める。
　
３．特許異議の申立て及び取消理由の概要
　
（１）申立人　三甲株式会社　は下記の刊行物１及び２を提出し、請求項１に係る発明の特許は、刊行物１及び２より、特許法第２９条第２項の規定に違反してなされたものであるから取り消すべき旨、
　
（２）申立人　金子しの　は下記の刊行物１〜３を提出し、請求項１に係る発明の特許は、刊行物１〜３より、特許法第２９条第２項の規定に違反してなされたものであるから取り消すべき旨、
　及び、請求項１に係る発明の特許は特許法第１７条の２第３項の規定に違反してなされたものであるから取り消すべき旨、それぞれ、主張している。
　
（３）平成１３年８月２３日付け取消理由通知において、本件出願の請求項１に係る発明は、下記の刊行物１〜３に記載された発明に基づいて、その出願前にその発明の属する技術の分野における通常の知識を有する者が容易に発明をすることができたものであるから、特許法第２９条第２項の規定により特許を受けることができない、
　また、本件出願の平成１１年８月９日付け手続補正書による明細書の補正は、願書に最初に添付した明細書又は図面に記載した事項の範囲内でない事項を含むものであるから、特許法第１７条の２第３項の規定により特許を受けることができない、旨の通知がなされた。
　
　刊行物１：米国特許第４，６２０，６４４号明細書
　刊行物２：実願昭５８−７８５０５号（実開昭５９−１８３５３７号）のマイクロフィルム
　刊行物３：実願昭６１−１６５６９３号（実開昭６３−７４４５３号）のマイクロフィルム
　
４．特許異議の申立てについての判断
　
（１）本件発明
　本件の請求項１に係る特許発明（以下「本件特許発明」という。）は、上記訂正を認めたので、訂正明細書の特許請求の範囲の請求項１に記載された事項により特定される下記のとおりのものである。
　
【請求項１】
　上面を開口せる容器状のコンテナ本体と、コンテナ本体の上面開口を開閉するためにコンテナ本体の上縁に回転軸への軸受部の取付けにより蓋を回動自在に装着した合成樹脂製の蓋付きコンテナにおいて、コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端緑から一体に延出し、ヒンジ部を介した一対の軸受半体で合成樹脂製の回転軸を囲むように重ね合わせるとともに一対の軸受半体の一方に設けた主係止突起及び補助係止突起からなる係止突起を他方に設けた主係止孔及び補助係止孔からなる係止孔に係止し、蓋の上面に係止部を有する突部を設け、蓋を開いて蓋の上面をコンテナ本体の外面に沿わせた状態で、蓋の係止部を垂れ下がった蓋の上面と対向するコンテナ本体の外面部分において係止し、蓋の上面に設けた係止部を有する突部が、垂れ下がった蓋の上面と対向するコンテナ本体の外面部分に形成した二重壁の外側を構成する外周壁の下端よりも内側に位置して成ることを特徴とする蓋付きコンテナ。
　
（２）刊行物に記載された発明
　
（２−１）刊行物１には、１欄６〜１１行、３欄８〜２６行、５欄１２〜２４行及び第１〜６，９，１３図を参照すると、「上面を開口せる容器状のコンテナ本体と、コンテナ本体の上面開口を開閉するためにコンテナ本体の上縁に回転軸への軸受部の取付けにより蓋を回動自在に装着した合成樹脂製の蓋付きコンテナ」が示され、
　５欄５３〜５６行、５欄６０行〜６欄４３行及び第１１図を参照すると、「蓋の上面に係止部を有する突部を設け、蓋を開いて蓋の上面をコンテナ本体の外面に沿わせた状態で、蓋の係止部を垂れ下がった蓋の上面と対向するコンテナ本体の外面部分において係止し、蓋の上面に設けた係止部を有する突部が、垂れ下がった蓋の上面と対向するコンテナ本体の外面部分に形成した二重壁の外側を構成する外周壁の下端よりも内側に位置して成ることを特徴とする蓋付きコンテナ」が示されている。
　
（２−２）刊行物２には、「一方の部材に軸棒を成形し、他方の部材には先端にフックを有する鉤止片を可撓性ヒンジ部を介して一体成形するとともにフック係合孔を形成し、該鉤止片を前記軸棒に巻き付けて、フック係合孔に係合させ、両部材を回動自在に連結したことを特徴とする成型品のヒンジ装置」（実用新案登録請求の範囲）、
「このヒンジ装置の一例を第２図及び第３図により、上側板３と下側板４との連結に用いた場合について説明すると、上側板３の下辺部に先端にフック６ａを有する略Ｕ字型の鉤止辺６ｂを可撓性ヒンジ６ｃを介して一体成形するとともにフック係合孔６ｄを形成する。一方下側板４の上辺部には軸棒６ｅを一体成形する。そして、鉤止片６ｂを軸棒６ｅに巻き付けてフック６ａをフック係合孔６ｄに係合し、上側板３と下側板４とを連結する。」（明細書３頁１１行〜４頁５行）
「前記実施例では、本考案のヒンジ装置を折畳みコンテナに採用した場合について説明したが、本考案の用途はこれに限定されるものでなく、成形部材同志を回動自在に係合する必要がある各種成形品に好適に使用できるものである。」（明細書５頁２〜６行）ことが記載されている。
　
（２−３）刊行物３には「この枢支装置３は函体１側に突設された軸支部材４と、開閉蓋２側に固着された支軸５と、軸受金具６（第３図）とからなっている。」（明細書４頁１１〜１４行）ことが記載されている。
　
（３）対比・判断
　上記刊行物１に記載された発明と、本件請求項１に係る発明とを対比すると
「上面を開口せる容器状のコンテナ本体と、コンテナ本体の上面開口を開閉するためにコンテナ本体の上縁に回転軸への軸受部の取付けにより蓋を回動自在に装着した合成樹脂製の蓋付きコンテナにおいて、
　蓋の上面に係止部を有する突部を設け、蓋を開いて蓋の上面をコンテナ本体の外面に沿わせた状態で、蓋の係止部を垂れ下がった蓋の上面と対向するコンテナ本体の外面部分において係止し、蓋の上面に設けた係止部を有する突部が、垂れ下がった蓋の上面と対向するコンテナ本体の外面部分に形成した二重壁の外側を構成する外周壁の下端よりも内側に位置して成ることを特徴とする蓋付きコンテナ」
　の点で一致し、次の点で一応相違している。
　
相違点１
　本件請求項１に係る発明においてコンテナ本体に蓋を開閉自在に取付ける構造が、「コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端緑から一体に延出し、ヒンジ部を介した一対の軸受半体で合成樹脂製の回転軸を囲むように重ね合わせるとともに一対の軸受半体の一方に設けた係止突起を他方に設けた係止孔に係止する構造」であり、回転軸がコンテナ本体と一体である具体的構造が示されているのに対し、上記刊行物１に記載された発明においては、回転軸がコンテナ本体とは別部材であり、回転軸及び軸受部の構造が異なる点。
　
相違点２
　本件請求項１に係る発明において「係止突起が主係止突起及び補助係止突起からなり、係止孔が主係止孔及び補助係止孔からなる」のに対し、上記刊行物１に記載された発明においては、相違点１に示したように、そもそも係止突起及び係止孔が存在しないため、複数の係止突起および複数の係止孔が存在しない点。
　
　上記相違点について順次検討する。
　
相違点１について
　上記刊行物２に記載された発明の「軸棒」、「鉤止片」、「可撓性ヒンジ部」、「フック」及び「フック係合孔」はそれぞれ本件請求項１に係る発明の「回転軸」、「軸受半体」、「ヒンジ部」、「係止突起」及び「係止孔」に相当する。
　よって、上記刊行物２には、コンテナ本体と蓋との開閉構造ではないものの、コンテナにおけるヒンジ構造として回転軸を側板と一体に構成する「回転軸を架設し、一対の軸受半体をヒンジ部を介して一体に連結した軸受部を延出し、ヒンジ部を介した一対の軸受半体で合成樹脂製の回転軸を囲むように重ね合わせるとともに一対の軸受半体の一方に設けた係止突起を他方に設けた係止孔に係止する構造」が示されているものと認められる。
　次に、上記刊行物２に示されたヒンジ構造を、刊行物１に記載された発明の回転軸及び軸受部に適用する点について検討する。
　上記刊行物２には「成形部材同志を回動自在に係合する必要がある各種成形品に好適に使用できるものである。」（明細書５頁５〜６行）と記載され、刊行物２に示されたヒンジ構造をコンテナ本体と蓋との回動部分に適用することを否定するものではなく、さらに、上記刊行物３には「開閉蓋（本件請求項１に係る発明の「蓋」に相当）に固着された支軸（同「回転軸」に相当）と函体（同「コンテナ本体」に相当）に突設された軸支部材（同「軸受半体」に相当）」として、引用文献２に記載されたヒンジ構造とは形状が異なるものの、コンテナ本体及び蓋の一方に回転軸を一体となす技術思想が示されていることから、上記刊行物２に示された上記ヒンジ構造を、コンテナと蓋との回動部分に適用するという発想自体は当業者であれば当然に考えることである。
　したがって、上記刊行物２に示された上記ヒンジ構造を、上記刊行物１に示された発明における、コンテナ本体に蓋を回動自在に装着する構成に適用するという発想を得て、組み合わせることに困難性は認められない。
　そして、組み合わせるにあたって、回転軸をコンテナ本体と一体となす際に、コンテナ本体のフランジに切り欠きを設けて、その切り欠きに回転軸を設けることは、当業者であれば十分想到しうる事項と認められる。
　
相違点２について
　固着する際に複数の固着部材を用いることは通常行われていることであり（上記刊行物３には第３図において、固着部材としてのねじ孔１１が２箇所設けられている。また、係止突起および係止孔を複数設けることも、特開平６−２４７３１１号公報や技術動向シリーズ　特許からみた機械要素便覧［固着］６７頁ＦＩＧ２８９（昭和５５年９月２５日特許庁編、社団法人発明協会発行）（実公昭４５−７８００号公報参照）に示されている。）、係止突起及び係止孔からなる固着部材を設ける際に、その組数をいくつにするかは、必要に応じて適宜選択しうる程度のことである。
　してみると、主係止突起及び補助係止突起からなる係止突起と主係止孔及び補助係止孔からなる係止孔を設けることは単に係止突起と係止孔からなる固着部材の組数を２つにしたにすぎず、その点に格別のものがあったとは認められない。
　
　なお、権利者は取消理由通知に対する意見書において、「主」及び「副」の係止突起の向きが直交しているので格別の効果が生じると主張しているが、この主張は特許請求の範囲の記載に基づかない主張であるので採用しない。
　
　したがって、本件特許発明は、本件出願前に頒布された刊行物１、２及び３に記載された発明に基づいて、当業者が容易に発明をすることができたものと認める。
　
（４）むすび
　以上のとおりであるから、本件特許発明についての特許は特許法第２９条第２項の規定に違反してされたものである。
　したがって、本件特許発明についての特許は、特許法第１１３条第２号に該当し、取り消されるべきものである。
　よって、結論のとおり決定する。
【異議決定日】
平成１４年２月１２日（２００２．２．１２）
【訂正の要旨】
訂正の要旨
　特許権者が求めている訂正の内容は、以下のとおりである。
訂正事項Ａ：
　特許明細書の特許請求の範囲の請求項１を
「上面を開□せる容器状のコンテナ本体と、コンテナ本体の上面開□を開閉するためにコンテナ本体の上縁に回転軸への軸受部の取付けにより蓋を回動自在に装着した合成樹脂製の蓋付きコンテナにおいて、コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端緑から一体に延出し、ヒンジ部を介した一対の軸受半体で合成樹脂製の回転軸を囲むように重ね合わせるとともに一対の軸受半体の一方に設けた主係止突起及び補助係止突起からなる係止突起を他方に設けた主係止孔及び補助係止孔からなる係止孔に係止し、蓋の上面に係止部を有する突部を設け、蓋を開いて蓋の上面をコンテナ本体の外面に沿わせた状態で、蓋の係止部を垂れ下がった蓋の上面と対向するコンテナ本体の外面部分において係止し、蓋の上面に設けた係止部を有する突部が、垂れ下がった蓋の上面と対向するコンテナ本体の外面部分に形成した二重壁の外側を構成する外周壁の下端よりも内側に位置して成ることを特徴とする蓋付きコンテナ。」と訂正する。
訂正事項Ｂ：
　明細書【０００５】の「上面を開□せる容器状のコンテナ本体１の上縁に回転軸への軸受部６の取付けにより蓋２を回動自在に装着した合成樹脂製の蓋２付きコンテナにおいて、・・・一対の軸受半体６ａ，６ｂの一方に設けた係止突起７を他方に設けた係止孔８に係止する構造であり」を
「上面を開口せる容器状のコンテナ本体１と、コンテナ本体１の上面開口を開閉するためにコンテナ本体１の上緑に回転軸への軸受部６の取付けにより蓋２を回動自在に装着した合成樹脂製の蓋２付きコンテナにおいて、コンテナ本体１の上緑のフランジ３に切り欠き４を設けると共にこの切り欠き４にコンテナ本体１と一体になるように回転軸５を架設し、一対の軸受半体６ａ，６ｂをヒンジ部６ｃを介して一体に連結した軸受部６を蓋２の端縁から一体に延出し、ヒンジ部６ｃを介した一対の軸受半体６ａ，６ｂで合成樹脂製の回転軸５を囲むように重ね合わせるとともに一対の軸受半体６ａ，６ｂの一方に設けた主係止突起７ａ及び補助係止突起７ｂからなる係止突起７を他方に設けた主係止孔８ａ及び補助係止孔８ｂからなる係止孔８に係止し」と訂正する。
訂正事項Ｃ：
　明細書【００１５】の「コンテナ本体に蓋を開閉自在に取付ける構造が、・・・ヒンジ部で折り曲げて回転軸を挟むように一対の軸受半体を重ね合わせると共に係止突起と係止孔とを係止して」を
「コンテナ本体の上縁のフランジに切り欠きを設けると共にこの切り欠きにコンテナ本体と一体になるように回転軸を架設し、一対の軸受半体をヒンジ部を介して一体に連結した軸受部を蓋の端縁から一体に延出し、ヒンジ部を介した一対の軸受半体で合成樹脂製の回転軸を囲むように重ね合わせるとともに一対の軸受半体の一方に設けた主係止突起及び補助係止突起からなる係止突起を他方に設けた主係止孔及び補助係止孔からなる係止孔に係止し、一対の軸受半体を展開した状態で軸受部を回転軸をくぐるように挿通し、ヒンジ部で折り曲げて回転軸を挟むように一対の軸受半体を重ね合わせると共に主係止突起と補助係止突起とをそれぞれ主係止孔と補助係止孔とに係止して」と訂正する。
（５４）【発明の名称】
蓋付きコンテナ
（５７）【特許請求の範囲】
　【請求項１】　上面を開口せる容器状のコンテナ本体
と、コンテナ本体の上面開口を開閉するためにコンテナ本体
コンテナ本体の上縁のフランジに切り欠きを設けると共にこの切り欠きにコンテナ本体と一体になるように回転軸を架設し、
た軸受部を蓋の端縁から一体に延出し、
主係止突起及び補助係止突起からなる
主係止孔及び補助係止孔からなる
し
【発明の詳細な説明】
　【０００１】
　【発明の属する技術分野】
　本発明は、上面に開閉自在な蓋を設けたコンテナに関し、詳しくは蓋を回動自在に装着する部分の構造に関するものである。
　【０００２】
　【従来の技術】
　従来の蓋付きコンテナにあっては、容器状のコンテナ本体の上のフランジに切り欠きを設け、切り欠きの両側に軸受孔を設け、蓋の端縁に軸受筒を設け、コンテナ本体の切り欠きに蓋の軸受筒を挿入し、軸受孔と軸受筒に亙るように回転軸となる金属のピンを差し込んで組み立ててあった。
　【０００３】
　【発明が解決しようとする課題】
　ところが、上記従来例にあっては、コンテナ本体に蓋を回動自在に装着するために別体のピンを挿通して組み立てており、部品点数が多くなって組み立て性が悪いという問題があり、またピンを挿通するのに工具を使用することとなりこの点でも組み立て性が悪いという問題がある。また別体の金属のピンを使用するために合成樹脂材料のリサイクル再生使用に問題がある（金属のピンを取り外さなければ再生使用できない）。
　【０００４】
　本発明は叙述の点に鑑みてなされたものであって、組み立て性を向上でき、しかもリサイクル再生使用も容易にできる蓋付きコンテナを提供するにある。
　【０００５】
　【課題を解決するための手段】
　上記課題を解決するために本発明の蓋付きコンテナＡは、上面を開口せる容器状のコンテナ本体１
と、コンテナ本体１の上面開口を開閉するためにコンテナ本体１
コンテナ本体１の上縁のフランジ３に切り欠き４を設けると共にこの切り欠き４にコンテナ本体１と一体になるように回転軸５を架設し、
た軸受部６を蓋２の端縁から一体に延出し、
主係止突起７ａ及び補助係止突起７ｂからなる
主係止孔８ａ及び補助係止孔８ｂからなる
し
主係止突起７ａと補助係止突起７ｂとをそれぞれ主係止孔８ａと補助係止孔８ｂとに
　【０００６】
　また蓋２を開いて蓋２の上面をコンテナ本体１の外面に沿わせた状態で蓋２の係止部９がコンテナ本体１に係止し得るようにして成ることを特徴とする。蓋２を開いて蓋２の上面をコンテナ本体１の外面に沿わせた状態で蓋２の係止部９をコンテナ本体１の外面に係止して蓋２がバタつかないようにできる。これにより、開蓋状態で蓋付きコンテナＡをローラコンベアに乗せて搬送したりするとき、蓋２がコンベアガイド等に接触して破損するのを防止できる。また開蓋状態で蓋付きコンテナＡを並列に並べたとき、間に位置する蓋付きコンテナＡを取り出す際に隣合う蓋付きコンテナＡの蓋２同士が干渉することなく、蓋付きコンテナＡの取り出しが容易にできる。
　【０００７】
　【発明の実施の形態】
　蓋付きコンテナＡは図１乃至図５に示すように上面を開口せる容器状のコンテナ本体１とコンテナ本体１の上面の開口を開閉するために上下に回動自在に装着した蓋２とで主体が構成され、全体が合成樹脂にて形成されている。コンテナ本体１は図６乃至図９に示すように底壁１ａと一対の側壁１ｂと一対の端壁１ｃとで上面を開口せる角型の容器状に形成されている。側壁１ｂと端壁１ｃは上に行く程外に広がるように傾斜している。底壁１ａの上面は周縁を除いて緩やかな曲面の凸曲面１０を長手方向に波状になるように設けてあり、長手方向に隣合う凸曲面１０間が谷部１１となっている。凸曲面１０のある部分の周囲は谷部１１と面一になる平坦面１２となっており、底壁１ａの隅部で平坦面１２には上下に貫通するように水抜き孔１３を穿孔してある。底壁１ａの下面にはリブ１４を設けてある。側壁１ｂと端壁１ｃの間のコーナー部の外面は上下方向に亙って外方に突出する凸面部１５を上下全長に亙るように設けてあり、側壁１ｂにも間隔を隔てて複数の（本例の場合２個）凸面部１６を上下全長に亙るように設けてある。凸面部１５と凸面部１６との間及び隣合う凸面部１６間には上下全長に亙るように内方に凹没する凹面部１７を設けてある。上記凸面部１５，１６は上から下に向けて徐々に幅が狭くなるようにテーパーを有しており、凹面部１７は上から下に向けて徐々に幅が広くなるようにテーパーを有している。
　【０００８】
　コンテナ本体１の側壁１ｂの上端及び端壁１ｃの上端には外方に突出するようにフランジ３を一体に設けてある。側壁１ｂの上端のフランジ３には長手方向に適当な間隔を隔てて複数個の（本例の場合４個）切り欠き４を設けてあり、この切り欠き４には夫々架設するように回転軸５を一体に設けてある。つまり、切り欠き４に設けられる回転軸５が合成樹脂製であり、合成樹脂製のコンテナ本体１と一体になっている。この回転軸５を設ける部分ではフランジ３は断面略Ｈ字状になっており、強度的に強固になるように補強してある。またコンテナ本体１の凸面部１５のある部分でフランジ３の外周から図１８に示すように下方に外周壁１８を垂下してあり、外周壁１８と凸面部１５とで上部に二重壁部を形成している。外周壁１８と凸面部１５の間の両側には側面板１９を一体に設けてあり、側面板１９の下端部が外周壁１８より下方に突出している。この側面板１９の下端はコンテナ本体１を上下に積み重ねたとき、下に位置するコンテナ本体１のフランジ３の上面に載るストッパー部となる。外周壁１８の下端縁は後述する蓋２を開いたとき蓋２を止めるために係止する被係止縁２０となっている。コンテナ本体１のフランジ３の上面には略全周に亙るように凹溝２１を設けてある。端壁１ｃの幅方向の中央には図１９に示すように取手部２２を設けてあり、取手部２２の下面側の角部には断面円弧状の面取り２３を設けてある。この取手部２２の部分で凹溝２１内には取手部２２を補強するリブ２４を設けてある。
　【０００９】
　蓋２はコンテナ本体１の上面の開口を２枚で覆う大きさであり、２枚の蓋２は図９、図１０に示すように略矩形状に形成されている。蓋２の長手方向と平行な一対の端縁のうち、一方の端縁から軸受部６を一体に突設してあり、他方の端縁から重ね突片２５を一体に突設してある。軸受部６は蓋２の端縁の長手方向に等間隔に複数個（本例の場合４個）並列に設けてある。この軸受部６は図１１乃至図１４に示すように一対の軸受半体６ａ，６ｂとヒンジ部６ｃとで構成され、軸受半体６ａと軸受半体６ｂとの間にヒンジ部６ｃが設けられている。つまり、軸受半体６ａは蓋２に直接一体に繋がっており、軸受半体６ａにヒンジ部６ｃを介して軸受半体６ｂを設けてある。軸受半体６ａ，６ｂには夫々軸受凹所２６を設けてある。また軸受半体６ａには係止突起７を設けてあり、軸受半体６ｂを軸受半体６ａに重ねたとき係止突起７が係止する係止孔８を軸受半体６ｂに設けてある。係止突起７には軸受半体６ａの幅方向の中央に位置する主係止突起７ａと両側に位置する補助係止突起７ｂとがある。主係止突起７ａには主係止縁２７ａを設けてあり、補助係止突起７ｂには補助係止縁２７ｂを設けてあり、主係止縁２７ａと補助係止縁２７ｂとは直交している。係止孔８も中央に位置する主係止孔８ａと両側に位置する補助係止孔８ｂとがあり、主係止孔８ａに主係止突起７ａが係止するようになっており、補助係止孔８ｂに補助係止突起７ｂが係止するようになっている。この主係止孔８ａには主係止縁２７ａに係止し得る主被係止縁２８ａを設けてあり、補助係止孔８ｂには補助係止縁２７ｂに係止し得る補助被係止縁２８ｂを設けてあり、主被係止縁２８ａと補助被係止縁２８ｂとは直交している。
　【００１０】
　蓋２の他方の端縁から突出するように設けられる重ね突片２５は略半円状になっており、本例の場合、重ね突片２５は長手方向に等間隔に複数個（本例の場合４個）設けてある。この各重ね突片２５に隣接するように略半円状の重ね凹部３０を設けてあり、隣接する蓋２の重ね突片２５を重ね合わせることができるようになっている。蓋２の上面の中央には矩形状のラベル貼着用凹部３１を凹設してあり、ラベル貼着用凹部３１には周囲の４箇所に指掛け凹部３２を凹設してある。また蓋２の上面の左右には突部３３を設けてあり、この突部３３にはコンテナ本体１の外周壁１８の下端の被係止縁２０に係止する係止部９を設けてある。
　【００１１】
　コンテナ本体１の上面開口に２枚の蓋２を開閉自在に取り付けるあたっては次のように行われる。蓋２の軸受部６の軸受半体６ａ，６ｂを開いた状態で図１５（ａ）に示すように各軸受部６をコンテナ本体１の切り欠き４に夫々対応させ、切り欠き４と回転軸５との間に図１５（ｂ）に示すように軸受部６を挿通し、この状態でヒンジ部６ｃで軸受半体６ａに対して軸受半体６ｂを曲げ、回転軸５を挟むように軸受半体６ｂを軸受半体６ａに重ね合わせ、この状態、図１５（ｃ）や図１６に示すように係止突起７としての主係止突起７ａと補助係止突起７ｂを係止孔８としての主係止孔８ａや補助係止孔８ｂに挿通し、主係止縁２７ａ及び補助係止縁２７ｂを主被係止縁２８ａ及び補助被係止縁２８ｂに係止する。このようにして一対の蓋２をコンテナ本体１の上縁に回動自在に取り付けて一対の蓋２を開閉自在にするが、上記のように蓋２を回転自在に取り付けることで、コンテナ本体１に一体に設けた回転軸５に簡単に軸受部６を回動自在に取り付けることができて従来のように別途ピンを取り付けたりする必要がなくて組み立て性を向上できる。また別途ピンを用いるもののように金属部品を一切用いることがないために蓋付きコンテナＡ全体を合成樹脂で形成してリサイクル再生使用が容易になる。また上記のように一対の軸受半体６ａ，６ｂを重ねたとき、主係止突起７ａと補助係止突起７ｂが主係止孔８ａと補助係止孔８ｂに係止するので軸受半体６ａ，６ｂが強固に結合される。このとき主係止縁２７ａと主被係止縁２８ａとが係止すると共に補助係止縁２７ｂと補助被係止縁２８ｂが係止するが、この係止方向が直交しているために、どのような外力でも係止が外れないように確実に係止することができる。
　【００１２】
　また回転軸５に軸受部６を回動自在に取り付ける部分ではフランジ３が断面Ｈ字状になっているためにこの部分を強固にできて確実に蓋２を取り付けることができる。上記のように構成せる蓋付きコンテナＡは蓋２を開いた状態で、上に位置する蓋付きコンテナＡの下部を下に位置する蓋付きコンテナＡに挿入するように積み重ねることができるが、このとき上に位置する蓋付きコンテナＡの側面板１９の下端が下に位置する蓋付きコンテナＡのフランジ３の上面に載って安定よく積み重ねることができる。また蓋付きコンテナＡの蓋２を開いた状態では蓋２の上面がコンテナ本体１の側壁１ｂの外面に沿うように垂れ下がるが、この状態で図２１に示すように蓋２の上面に設けた突部３３の係止部９が外周壁１８の下端の被係止縁２０に係止して蓋２がバタつかないように止められる。このようにすることで、蓋２を開いた状態で蓋付きコンテナＡをローラコンベアに乗せて搬送しているとき蓋２が揺れによりバタつかなく、蓋２がコンベアガイド等に接触して破損するのを防止できる。また蓋２を開いた状態の蓋付きコンテナＡを並べた状態で隣合う蓋付きコンテナＡの間に位置する蓋付きコンテナＡを持ち上げて取り出すとき、蓋２が隣接するものに引っ掛かることがなく蓋２による支障を生じない。
　【００１３】
　また上記のように構成せる蓋付きコンテナＡはコンテナ本体１の四隅の外面側に外周壁１８や側面板１９を設けて二重壁構造にしてあるために四隅を補強できて落下等の衝撃で破損するのを防止できる。また図２０に示すようにコンテナ本体１の凸面部１５，１６の下端の角部には断面円弧状の面取り３４を設けてあるが、この面取り３４のアールＲ１は５〜１０ｍｍと大きくしてある。凹面部１７の下端の角部のアールＲ２は３ｍｍ程度と小さくなっている。このように凸面部１５，１６の下端の角に円弧状の面取り３４を設けてあると、蓋付きコンテナＡを横方向に引きずるとき容易に引きずることができる。また蓋付きコンテナＡを手で持ち上げて運ぶときにも円弧状の面取り３４が運搬人の腹部に当たることで違和感がなくなる。また上記のように構成せる蓋付きコンテナＡは端壁１ｃの幅方向の中央には断面略Ｕ字状の取手部２２を設けてあるが、取手部２２の下面側の角部には図２２（ａ）に示すように断面円弧状の面取り２３を設けてあるために合成樹脂で形成するときバリができたりすることなく、取手部２２を持つとき取手部２２に対しての指当たりがよい。また従来の取手部２２´は図２２（ｂ）に示すように下端に肉盛り部２２ａ´を有する形状にしてあったために蓋付きコンテナＡが隣接するように並べたとき取手部２２の肉盛部２２ａ´同士が重なるように干渉し合うことが生じることがあったが、本発明の場合、取手部２２が断面Ｕ字状のために互いに干渉し合うことがなくなる。
　【００１４】
　蓋２の上面の中央には図２３に示すように矩形状のラベル貼着用凹部３１を凹設してあり、このラベル貼着凹所３１には内容物を表示するラベルが粘着のような手段で貼着されている。このときラベル貼着用凹部３１の底面が梨地にしてあり、ラベル貼着用凹所３１にラベルを粘着のような手段で粘着しても剥がすとき剥がしやすい。またラベル貼着用凹部３１には周囲の４箇所に指掛け凹部３２を凹設してあり、この指掛け凹部３２の部分ではラベルが引っ付かずラベルが剥がしやすい。またラベルを剥がすとき指を指掛け凹部３２に入れることができてラベルが剥がしやすい。底壁１ａの上面は周縁を除いて緩やかな曲面の凸曲面１０を長手方向に波状になるように設けてあり、長手方向に隣合う凸曲面１０間が谷部１１となっているが、このように凸曲面１０が波状になっていると、凸曲面１０に結露水が滞留しにくくなると共に結露水が滞留しても拭き取りがしやすい。また内容物が郵便封筒のようなものであっても下端を凸曲面１０間の谷部１１に引っ掛けることで倒れないように立て置きすることができ、横ずれ転倒を防止して収納が容易にできる。また内容物が郵便葉書等のようなものでも、凸曲面１０にて底面に静電付着するのを防止でき、取り出しが容易になる。また結露水が発生しても、凸面部１０間の谷部１１から周囲の平坦面１２に流れ、水抜き孔１３から外部に排出される。またコンテナ本体１の底壁１ａに凸曲面１０を波状に連続するように設けたことで底壁１ａが補強され、外底面の不必要な補強リブを削除してコンテナ本体１の軽量化を図ることができる。また上記のように不必要な補強リブを削除したことより、洗浄が容易にできると共に洗浄時の水切れがよくなる。また洗浄するとき水圧洗浄して熱風乾燥（７０〜８０℃）するが、水切れがよいために乾燥が容易にできて底壁１ａの軟化を防止できる。また上記のように構成せる蓋付きコンテナＡは一対の蓋２を閉塞したとき各重ね突片２５が隣接の蓋２の重ね凹部３０に重なり、隣合う蓋２が隙間なく突き合わせられる。
　【００１５】
　【発明の効果】
　本発明の請求項１の発明の蓋付きコンテナは、
コンテナ本体の上縁のフランジに切り欠きを設けると共にこの切り欠きにコンテナ本体と一体になるように回転軸を架設し、
た軸受部を蓋の端縁から一体に延出し、
主係止突起及び補助係止突起からなる
主係止孔及び補助係止孔からなる
し
主係止突起と補助係止突起とをそれぞれ主係止孔と補助係止孔とに
【図面の簡単な説明】
　【図１】
　本発明の実施の形態の一例の蓋付きコンテナを示す斜視図である。
　【図２】
　同上の蓋を閉じた状態の斜視図である。
　【図３】
　（ａ）は同上の平面図、（ｂ）は同上の正面図である。
　【図４】
　（ａ）は同上の側面図、（ｂ）は同上の底面図である。
　【図５】
　（ａ）は図３（ａ）のＢ−Ｂ線断面図、（ｂ）は図３（ｂ）のＣ−Ｃ線断面図である。
　【図６】
　同上のコンテナ本体を示す平面図である。
　【図７】
　（ａ）は図６のＤ−Ｄ線断面図、（ｂ）は図６のＥ−Ｅ線断面図である。
　【図８】
　（ａ）は図６のＦ−Ｆ線断面図、（ｂ）は図６のＧ−Ｇ線断面図、（ｃ）は図６のＨ−Ｈ線断面図である。
　【図９】
　同上の蓋を示し、（ａ）は平面図、（ｂ）は正面図である。
　【図１０】
　（ａ）は蓋の底面図、（ｂ）は図９（ａ）のＩ−Ｉ線断面図である。
　【図１１】
　同上の軸受部の展開した状態を示し、（ａ）は平面図、（ｂ）は側面図である。
　【図１２】
　（ａ）は図１１（ａ）のＪ−Ｊ線断面図、（ｂ）は図１１（ａ）のＫ−Ｋ線断面図、（ｃ）は図１１（ａ）のＬ−Ｌ線断面図、（ｄ）は軸受部の組み立て状態の断面図である。
　【図１３】
　（ａ）は図１１（ａ）のＭ−Ｍ線断面図、（ｂ）は（ａ）の組み立て状態の断面図である。
　【図１４】
　（ａ）は図１１（ａ）のＮ−Ｎ線断面図、（ｂ）は（ａ）の組み立て状態の断面図である。
　【図１５】
　（ａ）（ｂ）（ｃ）は軸受部を回転軸に回転自在に取り付ける状態を説明する斜視図である。
　【図１６】
　同上の軸受部を回転軸に回転自在に取り付けた部分の断面図である。
　【図１７】
　同上のコンテナ本体の底面を示す斜視図である。
　【図１８】
　同上のコンテナ本体の隅部の上部を示す一部省略斜視図である。
　【図１９】
　（ａ）は同上の取手部の一部切欠斜視図、（ｂ）は取手部に指を掛けた状態の断面図である。
　【図２０】
　（ａ）（ｂ）は同上のコンテナ本体の下部の面取り部を説明する斜視図である。
　【図２１】
　同上の蓋を開いて蓋を係止した状態を説明する断面図である。
　【図２２】
　同上の取手部の動作を説明する断面図で、（ａ）は本発明のものであり、（ｂ）は従来例の問題を説明するものである。
　【図２３】
　同上のラベル貼着凹部を示し、（ａ）は斜視図、（ｂ）は断面図である。
　【符号の説明】
　Ａ　蓋付きコンテナ
　１　コンテナ本体
　２　蓋
　３　フランジ
　４　切り欠き
　５　回転軸
　６　軸受部
　６ａ　軸受半体
　６ｂ　軸受半体
　６ｃ　ヒンジ部
　７　係止突起
　８　係止孔
　９　係止部